(57)【要約】【課題】腕時計型表示機には高級腕時計やウェアラブルデバイスと言われる電子機器もあり、使用における傷や汚れ、誤作動から該表示機を守る事が出来、該表示機で他の物を傷つけてしまう場合もあり、これを防ぐ為のカバーは適切な物が見受けられません。ウェアラブルデバイスは電池の持ちの時間に限りがあり手首に装着した状態で電源を給電する仕組みは見受けられません。【解決手段】本発明は、 文字盤ケース部分とベルト部分からなる腕時計型表示機のリストバンド型カバーであり、細長く平らな帯状材からなるバンドを該表示機を手首に装着した状態で文字盤ケースの上から巻きつけて覆う、両端は無端周回状または係止出来る構造で固定し、該表示機がウェアラブルデバイスである場合に該表示機に内臓されたコンピューターの電池不足を電池ユニットとコネクターをリストバンド型カバーに設け給電によって解決する該表示機のリストバンド型カバー。【選択図】図４
2016125847.tif 000002
【特許請求の範囲】
【請求項１】
文字盤ケース部分とベルト部分からなる腕時計型表示機のリストバンド型カバーであり、細長く平らな帯状材からなるバンド部１１を該表示機を手首に装着した状態で該表示機の上から巻きつけて覆う腕時計型表示機のリストバンド型カバー。
【請求項２】
帯状材からなるバンド部１１の一部に、文字盤ケースを露出しえる開口部１３を備え、そこに文字盤ケースを挿嵌し、開口部１３から文字盤ケースが露出しえる状態にし、文字盤ケースの上を帯状材からなる蓋部１４がバンドの長手方向に沿う向こう側から手前側にわたって文字盤ケースを覆う開閉可能な蓋状になっており、手前側端はバンド部１１に着脱自在に係止出来る蓋内側係止部１５で止めて腕時計型表示機を保護する請求項１に記載のリストバンド型カバー。
【請求項３】
前記リストバンド型カバーの文字盤ケースを覆う蓋部１４を開口部１３の長手方向の向こう側に折返して文字盤ケースを見える状態で係止出来る構造、蓋外側係止部１６で一時係止しておくことを可能にする請求項２記載のリストバンド型カバー。
【請求項４】
文字盤ケースを覆う部分を文字盤相当以上の範囲の透明素材を使用した透明窓部１７によって文字盤を見る事が出来る請求項１ないし請求項３いずれかに記載の腕時計型表示機のリストバンド型カバー。
【請求項５】
文字盤ケースの上を覆う部分が凹状格納部１８で該ケースの全外周を格納可能にする請求項１ないし請求項４のいずれかに記載のリストバンド型カバー。
【請求項６】
前記表示機のコンピューターを動かす為に給電する電池を付帯して備える請求項１から請求項５記載の腕時計型表示機のリストバンド型カバー。
【発明の詳細な説明】
【技術分野】
【０００１】
この発明は文字盤ケース部分とベルト部分からなる腕時計型表示機を傷と誤作動から守り保護し、該表示機がウェアラブルデバイスである場合、コンピューターを駆動する電源に給電するリストバンド型カバーに関するものである。
【背景技術】
【０００２】
腕時計本体の保護と誤作動を防止する腕時計用カバーが特開平6-227990に公開されている。この腕時計の傷防止カバーは樹脂製で時計本体に常時取り付けてあり、簡単に脱着出来ない物であり、時計のベルト部分等カバーできていない部分も多く時計本体のみの保護と誤作動の防止を目的としており主にダイバーズ時計に採用されている形状です。【０００３】
前記樹脂製のこのようなカバーはダイバーが岩場で使用するときや、労働での使用状況により腕時計本体の傷や破損からの保護では有効であり、直接文字版を見て時間等情報を確認することが出来る。【０００４】
腕時計型表示機にはウェアラブルデバイスと呼ばれるコンピューターを内蔵し電源を必要とするものが有り、給電は腕から外して置き形の給電装置、特開２０１５−１４２３９５が公開されている。これは手首に装着したウェアラブルデバイスに給電することは想定されていない。
【先行技術文献】
【特許文献】
【０００５】
【特許文献１】特開平８−９４７７３  腕時計用カバー
【特許文献２】特開平１１−１３３１５９  軟質カバーを有する携帯用電子機器
【発明の概要】
【発明が解決しようとする課題】
【０００６】
本発明は、従来型の腕時計用樹脂製カバーに見られる特徴と違う用途での腕時計、例えば高級腕時計、アンティーク時計、そしてスマートフォン機能の一部を備えるウェアラブルデバイスと言われる物を含む腕時計型表示機が傷つきやすい状況になった時、又は洗車等で該表示機で他のものを傷つける状況から、そのもの又は該表示機の保護を素早く手軽に行います。【０００７】
従来のカバーでは腕時計型表示機のベルトの金属や皮革部分をカバー出来ておらず、全体を被う事でこれも保護する事が出来る。【０００８】
腕時計型表示機においては誤作動を防止する目的でもカバーとして活用できます。
ウェアラブルデバイスと言われる該表示機の一部の物は表面がタッチパネル機能でありスポーツなどで使用する時の誤作動を防止する目的にも使用出来ます。【０００９】
腕時計型表示機の種類でウェアラブルデバイスと言われる物は内蔵されているコンピューターを駆動するための電池の消耗が通常の電池式腕時計より早く、手首に装着して使用中に電池が不足した時に給電を行うことが出来る。
【課題を解決するための手段】
【００１０】
請求項１の発明は、文字盤ケース部分とベルト部分からなるアナログ腕時計、デジタル腕時計、ウエアラブル機器、携帯型音楽プレーヤーを含む腕時計型表示機の保護カバー、細長く平らな帯状材からなるバンド部１１を該表示機を手首に装着した状態でその上から巻きつけ、両端は係止出来る素材、腕周り係止部１２で固定するか、無端周回状で巻きつけて保護する腕時計型表示機のリストバンド型カバー。【００１１】
請求項２記載の発明は、請求項１記載のバンド部１１ の一部に、腕時計型表示機の文字盤ケースの横幅より狭く例えば２２ｍｍ〜３０ｍｍかつ縦の幅は大きく例えば４５ｍｍ〜５０ｍｍの開口部１３を備え、該表示機を手首に装着した状態で、開口部１３に文字盤ケースを挿嵌し、バンド部１１の開口部１３から文字盤ケースが露出する状態、例えで説明するならば、ボタン穴からボタンが出るように係止される、バンド部１１と該表示機を固定させ、簡単に着脱が可能となりカバーバンドと該表示機がずれることを防ぐ、露出した文字盤ケースの上を、帯状材からなる蓋部１４が開口部のバンドの長手方向の向こう側から手前側にわたって文字盤ケースを覆う蓋状になっており、手前側端はバンド部１１に着脱自在に係止出来る蓋内側係止部１５で係止して腕時計型表示機を保護する形状のリストバンド型カバー。【００１２】
請求項３記載の発明は、請求項２記載のリストバンド型カバーを着脱しようとする時や腕時計型表示機を操作している時に蓋部１４を開口部１３の向こう側に折返して、蓋外側係止部１６で一時係止しておくことを可能にする。【００１３】
請求項４記載の発明は、前記表示機の文字盤ケース部分を覆うバンド部１１または蓋部１４の一部を文字盤相当以上の範囲、一般的に直径３８ｍｍ〜４５ｍｍの範囲以上にわたり透明素材を使用した透明窓部17によって文字盤を見る事が出来る腕時計型表示機のリストバンド型カバーである。【００１４】
請求項５記載の発明は、前記表示機の文字盤ケースを覆う部分、バンド部１１または蓋部１４のいずれかに凹状格納部１８を持たせた形状で文字盤ケースの厚さが様々であっても全外周を格納可能にするリストバンド型カバー。これにより文字盤部分ケースが1５ｍｍ〜１８ｍｍの厚さのケースでも側面がカバー出来る。【００１５】
請求項６記載の発明は、リストバンド型カバーに電池ユニット部２０を備え、コネクターを通じて腕時計型表示機に給電する。
【発明の効果】
【００１６】
様々な付加価値の高い腕時計や様々な素材の腕時計型表示機を帯状材で保護し、また金属製の該表示機によって他のものにぶつけて傷を付けることも防ぎ、文字盤を見るときは係止部を一箇所外すことによって直接見る事が出来ます。腕時計型機器を操作する時は、文字盤ケースの蓋部を上げたまま係止する事ができます。また文字盤ケースの蓋部またはバンドの一部に透明素材を使用する事によって係止部を外さずこの透明窓部から文字盤を見る事が出来ます。ウェアラブルデバイスと言われる腕時計型表示機については該機器に内蔵したコンピューターの動力となる電池ユニット部を備えコネクター部でウェアラブルデバイスに給電する為の機能をカバーに持たせる事が出来ます。
【図面の簡単な説明】
【００１７】
【図１】本発明の実施例１のリストバンド型カバーを手首に装着した腕時計型表示機の上から装着した透視図
【図２】本発明の実施例１のリストバンド型カバーを平置きにした図、斜視図(A)、縦断面図(B)、凹状格納部横断面図(C)
【図３】本発明の実施形態における実施例２のリストバンド型カバーの装着方法を示す斜視図
【図４】本発明の実施例２の蓋部１４を開いて蓋外側係止部１６で係止した状態を示す説明図（A）、蓋部１４を閉じて蓋内側係止部１５でバンド部と係止した状態を示す透視図（B）
【図５】本発明の実施例２のリストバンド型カバーを平置きにした図、表面斜視図(A)、縦断面図(B)、内面図(C)
【図６】本発明の実施形態における手首に腕時計型表示機を装着した状態で、透明窓部１７を備えた蓋部１４が文字盤ケースに被さり全体がカバーされた状態の透視図
【図７】本発明の実施例２のカバー部１４にを凹状格納部１８を備えた状態の図、手首に装着した腕時計型表示機の上からリストバンド型カバーを装着し、蓋部１４を開いた状態の図（A） 、蓋部１４の縦断面図（B）、蓋部１４の横断面図（C）
【図８】本発明の実施例３のリストバンド型カバーの装着方法を示す斜視図
【図９】本発明の実施例３のリストバンド型カバーを平置きにした図、内面図(A)、表面図(B)、断面図(C)
【図１０】本発明の実施例４のリストバンド型カバーに腕時計型表示機の一種、ウェアラブルデバイスに給電する電池ユニット部２０とコネクター部２１を備えたものを手首に装着した図、蓋部１４を開いた状態の図（A）、蓋部を閉じた状態の図（B）
【図１１】本発明の実施例５のリストバンド型カバー、文字盤ケースにカバーされておらず、ウェアラブルデバイスに給電する目的を主にしたリストバンド型カバー、手首に装着した図（A)、平置きした平面図（B）、断面図（C）
【発明を実施するための形態】
【００１８】
以下、図面を参照して本発明の実施例を詳細に説明する。
【００１９】
図１および図２は本発明の第１の実施例を示す図である。文字盤ケース部分とベルト部分からなる腕時計型表示機の保護を目的としたリストバンド型カバー、細長く平らな帯状材からなるバンド部１１を該表示機を手首に装着した状態で該表示機の上から巻きつけ両端は係合出来、構造としてはボタンと該ボタンを係入するスリットで構成される構造、フック構造、面ファスナーなどが挙げられる腕周り係止部１２で固定するか帯状材が伸縮性のものであれば無端周回状のバンド部１１であってもよい、またバンド部１１の文字盤ケース上に被さる部分に凹状格納部１８を持たせた形状で文字盤ケースの厚さが様々で例えば1５ｍｍ〜１８ｍｍの厚さのケースであっても全外周を格納可能にする腕時計型表示機のリストバンド型カバー。
【００２０】
図３および図４は本発明の第２の実施例を示す図である、バンド部１１ の一部に、腕時計型表示機の文字盤ケースの横幅より狭く、例えば２２ｍｍ〜３０ｍｍかつ縦の幅は大きく例えば４５ｍｍ〜５０ｍｍの開口部１３を備え、該表示機を手首に装着した状態で、開口部１３に文字盤ケースを挿嵌し、バンド部１１の開口部１３から文字盤ケースが露出した状態、例えで説明するならば、ボタン穴からボタンが出るように係止される、バンド部１１と該表示機を固定させ、片手で簡単にリストバンド型カバーの着脱の動作が可能となり、バンド部１１と該表示機がずれることを防ぐ、露出した文字盤ケースの上を、帯状材からなる蓋部１４がバンド部１１の開口部１３の長手方向の向こう側は接着又は縫い合わされ固着してあり、手前側にわたって文字盤ケースを覆う蓋状になっており、手前側端は蓋内側係止部１５、構造としてはボタンと該ボタンを係入するスリットで構成される構造、フック構造、面ファスナーなどが挙げられる構造でバンド部と着脱自在に係止して腕時計型表示機を保護する形状のリストバンド型カバー。
【００２１】
図５は本発明の第２の実施例を平置きした、図５Aは表面斜視図、図５Bは断面図、図５C内面図である。リストバンド型カバーを着脱しようとする時や腕時計型表示機を操作している時に蓋部１４を開口部１３の長手方向の向こう側に折返して、蓋外側係止部１６、構造としてはボタンと該ボタンを係入するスリットで構成される構造、フック構造、面ファスナーなどが挙げられる構造でバンド部に着脱自在に係止しておくことが出来る。
【００２２】
図６は第1の実施例ではバンド部11の文字盤ケース部分を覆う部分、第２の実施例では文字盤ケースの蓋部１４、いずれにしても文字盤ケースに被さる部分の全体または文字盤相当以上の範囲、一般的に直径３８ｍｍ〜４５ｍｍの範囲以上に透明素材を使用した透明窓部１７によってカバーしたままで文字盤を見る事が出来る。
【００２３】
本発明の第２の実施例の蓋部１４に図７で示す凹状格納部１８を持たせた形状で文字盤ケースの厚さが様々であっても全外周を格納可能にするリストバンド型カバー。図７Aは手首に腕時計型表示機を装着しリストバンド型カバーを巻きつけて蓋部１４を開けた状態の図、図７Bは蓋部１４の縦断面図、図７Cは蓋部１４の横断面図、これにより文字盤部分ケースが厚いもの1５ｍｍ〜１８ｍｍの厚さのケースでも全外周がカバー出来る。
【００２４】
図８および図９は本発明の第３の実施例を示す図である、バンド部１１ の一部に、腕時計型表示機の文字盤ケースの横幅より狭く、例えば２２ｍｍ〜３０ｍｍかつ縦の幅は大きく例えば４５ｍｍ〜５０ｍｍの開口部１３を備え、該表示機を手首に装着した状態で、開口部１３に文字盤ケースを挿嵌し、バンド部１１の開口部１３から文字盤ケースが露出した状態、例えで説明するならば、ボタン穴からボタンが出るように係止される、これによりバンド部１１と該表示機を固定させ、片手で簡単にリストバンド型カバーの着脱の動作が可能となりバンド部１１と該表示機がずれることを防ぐ、バンド部１１は該表示機のベルトに沿ってその表面を覆って腕周り係止部１２、構造としてはボタンと該ボタンを係入するスリットで構成される構造、フック構造、面ファスナーなどが挙げられる構造でで開口部１３のバンド長手方向の向こう側で係止し、露出した文字盤ケースの上を、バンド部１１から連続した帯状材からなる蓋部１４がバンド部１１の長手方向手前側にわたって文字盤ケースを覆う蓋状になっており、手前側端は蓋内側係止部１５、構造としてはボタンと該ボタンを係入するスリットで構成される構造、フック構造、面ファスナーなどが挙げられる構造でバンド部と係止して腕時計型表示機を保護する形状のリストバンド型カバー。
蓋部１４は凹状格納部１８を備えており該表示機の文字盤ケースの厚さが様々でも全外周を格納可能にできる実施例を示しており、その蓋部１４の凹状格納部１８の素材の全部または一部を透明素材を使用することによって蓋内側係止部１５を脱着することなく文字盤の表示を見ることが出来る実施例である。
【００２５】
図１０は本発明の第４の実施例を示す図である、この図では蓋部１１の外側に電池ユニット部２０を設けた、バンド部１１の外面に設けても良い、コネクター部２１で腕時計型表示機に内蔵されているコンピューターを駆動する電源を給電する、電池としては太陽電池、ニッケル水素電池、リチウム電池等の電池があげられる、これにより電池式の該表示機の利用時間を延長することが出来るリストバンド型カバー。
【００２６】
図１１は本発明の第５の実施例を示す図である、この図ではバンド部１１に開口部１３
が設けられており、腕時計型表示機の文字盤ケースはカバーされておらず、電池ユニット部２０とコネクター部２１が設けられており該表示機がウェアラブルデバイスである場合にコンピューターを駆動する電源に給電することを主な目的とするリストバンド型カバー。
【符号の説明】
【００２７】
１１  バンド部
１２  腕周り係止部
１３  開口部
１４  蓋部
１５  蓋内側係止部
１６  蓋外側係止部
１７  透明窓部
１８  凹状格納部
１９  蓋固着部
２０  電池ユニット部
２１  コネクター部
【図１】
2016125847.tif 000003
【図２】
2016125847.tif 000004
【図３】
2016125847.tif 000005
【図４】
2016125847.tif 000006
【図５】
2016125847.tif 000007
【図６】
2016125847.tif 000008
【図７】
2016125847.tif 000009
【図８】
2016125847.tif 000010
【図９】
2016125847.tif 000011
【図１０】
2016125847.tif 000012
【図１１】
2016125847.tif 000013
【国際調査報告】
2016125847.tif 000014
2016125847.tif 000015
2016125847.tif 000016
2016125847.tif 000017